(57)【要約】      （修正有）【課題】取り外せる部分を立体的に見せることで利用者に印象付けることが可能なシート状印刷物を提供する。【解決手段】取り外し可能な分離領域と残される残置領域とがシート本体に形成されるシート状印刷物である。はがき部３は残置領域４から起立した後に取り外される構成であるとともに、はがき部が起立する際に軸となる第１縁部３１とその周囲の窓枠状部４１とはアンカット部で接続され、かつそれ以外の開放側縁部とその周囲の窓枠状部４１との間には切断部が形成されている。また、第１縁部と対向する位置の第２縁部３２に隣接するはがき部の一面が、その上に重ね合わされる第２端部２２の一面に接着されている。【選択図】図１
0003190954.tif 000002
【実用新案登録請求の範囲】
【請求項１】
取り外し可能な分離領域と残される残置領域とがシート本体に形成されるシート状印刷物であって、
前記分離領域は前記残置領域から起立した後に取り外される構成であるとともに、前記分離領域が起立する際に軸となる軸側縁部とその周囲の前記残置領域とは少なくとも一箇所のアンカット部で接続され、かつ前記軸側縁部以外の開放側縁部とその周囲の前記残置領域との間には切断部が形成されており、
前記軸側縁部と対向する位置の前記開放側縁部に隣接する前記分離領域の一面が、その上に重ね合わされる残置領域の一面に接着されることを特徴とするシート状印刷物。
【請求項２】
取り外し可能な分離領域と残される残置領域とがシート本体に形成されるシート状印刷物であって、
前記残置領域には前記分離領域の周囲に残る窓枠領域と前記分離領域を起立させるための起動領域とが形成されるとともに、
前記分離領域が起立する際に軸となる軸側縁部と前記窓枠領域とは少なくとも一箇所のアンカット部で接続され、かつ前記軸側縁部以外の開放側縁部と前記窓枠領域との間には切断部が形成されており、
前記軸側縁部と対向する位置の前記開放側縁部に隣接する前記分離領域の一面が、その上に重ね合わされる前記起動領域の一面に接着されることを特徴とするシート状印刷物。
【請求項３】
取り外し可能な分離領域と残される残置領域とが略長方形のシート本体に形成されるシート状印刷物であって、
前記分離領域は前記シート本体の第１短辺側の第１端部に窓状部として形成されるとともに、前記分離領域の外周の窓枠状部を含む前記分離領域以外の前記シート本体が前記残置領域となり、
前記シート本体を折り曲げることによって前記第１端部を前記残置領域の一部の上に重ね、
前記第１端部の前記第１短辺側に隣接する前記分離領域の第１縁部は前記窓枠状部との接続が複数のアンカット部で残るように切断され、かつ前記分離領域の第１縁部と対向する位置に設けられる第２縁部及びそれ以外の第３縁部は前記第１縁部の接続強度よりも弱くなるように前記窓枠状部との間が切断されており、
前記シート本体の第２短辺側の第２端部は、前記シート本体を折り曲げることによって前記第１短辺と前記第２短辺とが隣接するように前記残置領域の上に重ねられたうえで、
前記第２端部の前記第２短辺が前記第２縁部の上に重ねられるように折り曲げられるとともに、前記第２縁部と前記第２短辺とが接着されることを特徴とするシート状印刷物。
【考案の詳細な説明】
【技術分野】
【０００１】
本考案は、広告や宣伝のために配布されるチラシ、又は雑誌や本の綴込みなどに使用される、取り外し可能なはがきやクーポンなどが付いたシート状印刷物に関するものである。
【背景技術】
【０００２】
特許文献１，２に開示されているように、チラシや本の綴込みなどのシートの一部が、取り外し可能なはがきとなっている印刷物が知られている。例えば特許文献１には、紙片を重ねて貼り合せた二重構造のはがきがミシン目から切り離せる構成が開示されている。
【０００３】
また、特許文献２には、一枚の用紙の一角に見開きのはがき又は封書の大きさの取り外し部分を設けておき、その部分を用紙から取り外した後に２つに折り畳んで内面側に塗布された感圧糊によって接着させることで、文面を秘匿した状態ではがき等を送信することができる印刷物が開示されている。
【先行技術文献】
【特許文献】
【０００４】
【特許文献１】特開２００４−１３３０６５号公報
【特許文献２】特開２００６−７６０７１号公報
【考案の概要】
【考案が解決しようとする課題】
【０００５】
しかしながら特許文献１，２に開示されているはがき付き印刷物では、シートの隅角部に設けられた平面状のはがきを切り離すだけなので、はがきの存在感が少ない。
【０００６】
そこで、本考案は、取り外せる部分を立体的に見せることで利用者に印象付けることが可能なシート状印刷物を提供することを目的としている。
【課題を解決するための手段】
【０００７】
前記目的を達成するために、本考案のシート状印刷物は、取り外し可能な分離領域と残される残置領域とがシート本体に形成されるシート状印刷物であって、前記分離領域は前記残置領域から起立した後に取り外される構成であるとともに、前記分離領域が起立する際に軸となる軸側縁部とその周囲の前記残置領域とは少なくとも一箇所のアンカット部で接続され、かつ前記軸側縁部以外の開放側縁部とその周囲の前記残置領域との間には切断部が形成されており、前記軸側縁部と対向する位置の前記開放側縁部に隣接する前記分離領域の一面が、その上に重ね合わされる残置領域の一面に接着されることを特徴とする。
【０００８】
また、取り外し可能な分離領域と残される残置領域とがシート本体に形成されるシート状印刷物であって、前記残置領域には前記分離領域の周囲に残る窓枠領域と前記分離領域を起立させるための起動領域とが形成されるとともに、前記分離領域が起立する際に軸となる軸側縁部と前記窓枠領域とは少なくとも一箇所のアンカット部で接続され、かつ前記軸側縁部以外の開放側縁部と前記窓枠領域との間には切断部が形成されており、前記軸側縁部と対向する位置の前記開放側縁部に隣接する前記分離領域の一面が、その上に重ね合わされる前記起動領域の一面に接着されることを特徴とする。
【０００９】
さらに、取り外し可能な分離領域と残される残置領域とが略長方形のシート本体に形成されるシート状印刷物であって、前記分離領域は前記シート本体の第１短辺側の第１端部に窓状部として形成されるとともに、前記分離領域の外周の窓枠状部を含む前記分離領域以外の前記シート本体が前記残置領域となり、前記シート本体を折り曲げることによって前記第１端部を前記残置領域の一部の上に重ね、前記第１端部の前記第１短辺側に隣接する前記分離領域の第１縁部は前記窓枠状部との接続が複数のアンカット部で残るように切断され、かつ前記分離領域の第１縁部と対向する位置に設けられる第２縁部及びそれ以外の第３縁部は前記第１縁部の接続強度よりも弱くなるように前記窓枠状部との間が切断されており、前記シート本体の第２短辺側の第２端部は、前記シート本体を折り曲げることによって前記第１短辺と前記第２短辺とが隣接するように前記残置領域の上に重ねられたうえで、前記第２端部の前記第２短辺が前記第２縁部の上に重ねられるように折り曲げられるとともに、前記第２縁部と前記第２短辺とが接着されることを特徴とする。
【考案の効果】
【００１０】
このように構成された本考案のシート状印刷物は、分離領域が残置領域から起立した後に取り外せるように、分離領域の軸側縁部とその周囲の残置領域とがアンカット部で接続されている。
【００１１】
そして、軸側縁部以外の開放側縁部とその周囲の残置領域との間には切断部が形成されるとともに、軸側縁部と対向する位置の開放側縁部に隣接する分離領域の一面が、その上に重ね合わされる残置領域の一面に接着される。
【００１２】
このため、分離領域を接着させた残置領域（又は起動領域）を開くと、それに連動してはがき等の分離領域が立ち上がることになるので、取り外せる部分を利用者に立体的に見せて印象付けることができる。
【図面の簡単な説明】
【００１３】
【図１】本考案の実施の形態のはがき付き印刷物の使用状態を説明する斜視図である。
【図２】紙本体が展開された状態を示した説明図である。
【図３】紙本体の両端を折り畳んだ状態を示した説明図である。
【図４】はがき部の第１縁部に設けられるアンカット部及び接着部の構成を示した説明図である。
【図５】はがき付き印刷物の完成した状態を説明する平面図である。
【図６】はがき付き印刷物が開いた状態の構成を説明する平面図である。
【図７】図６に示したはがき付き印刷物を側方から見た側面図である。
【考案を実施するための形態】
【００１４】
以下、本考案の実施の形態について図面を参照して説明する。図１は、本実施の形態のシート状印刷物としてのはがき付き印刷物１の使用方法を説明するための斜視図である。
【００１５】
このはがき付き印刷物１は、図１，２に示すように、取り外し可能な分離領域となるはがき部３と、それ以外の残される残置領域４とが、シート本体としての紙本体２に形成されている。
【００１６】
また、残置領域４には、窓状部となるはがき部３の周囲に残る窓枠領域としての窓枠状部４１と、はがき部３を起立させるための起動領域としての起動部４２とが形成される。
【００１７】
紙本体２は、図２に示すように、略長方形に形成された１枚の紙片であって、必要に応じて表面２ａと裏面２ｂ（図３参照）の両面に図や文字情報などの印刷が施される。
【００１８】
はがき部３は、一方の面（例えば紙本体２の表面２ａ）への印刷によって宛名面が形成され、他方の面（例えば紙本体２の裏面２ｂ）への印刷によって通信面が形成される。
【００１９】
このはがき部３は、例えば第一種郵便物の定形郵便物に該当する長方形に成形される。定形郵便物の最小形状は、長辺が１４ｃｍで短辺が９ｃｍであり、最大形状は長辺が２３．５ｃｍで短辺が１２ｃｍで厚さが１ｃｍである。なお、重さは５０ｇ以下であればよく、下限値の制限はない。
【００２０】
また、はがき部３以外の残置領域４には、はがき部３の利用方法や広告などの情報や図などを印刷しておくことができる。
【００２１】
ここで、長方形の紙本体２の２つの短辺を、それぞれ第１短辺２１ａ及び第２短辺２２ａとする。そして、第１短辺２１ａとそこに最も近い位置に設けられる折目２３Ａとの間の部分を第１端部２１とし、第２短辺２２ａとそこに最も近い位置に設けられる折目２３Ｄとの間の部分を第２端部２２とする。
【００２２】
第１端部２１には、はがき部３と、はがき部３の周囲の平面視略ロ字状の窓枠状部４１とが形成される。要するに、長方形の第１端部２１の内部に長方形のはがき部３を設けた場合に、その紙の残りが窓枠状部４１となる。
【００２３】
一方、折目２３Ａ−２３Ｄは、第１短辺２１ａと第２短辺２２ａとの間に、それらと略平行となるように設けられる。紙本体２の表面２ａ側から見て、折目２３Ａ，２３Ｂ，２３Ｃが谷折りとなり、折目２３Ｄが山折りとなる。
【００２４】
そして、折目２３Ａと折目２３Ｂとの間の部分が、折目２３Ａで折り曲げた際にはがき部３の下に重ねられる下地部４３となる。また、折目２３Ｂと第２短辺２２ａとの間の部分が、起動部４２となる。
【００２５】
図３は、紙本体２の左右を折目２３Ａと折目２３Ｃの位置で折り曲げた状態を示している。この折り曲げ加工によって、第１短辺２１ａと第２短辺２２ａとが折目２３Ｂを挟んで隣接した状態になる。
【００２６】
要するに図３は、紙本体２の裏面２ｂを示している。そして、はがき部３の外周の窓枠状部４１には、はがき部３が切り取れる（取り外せる）部分であることを明示するために、太い破線等の切取り目印３５が印刷される。
【００２７】
そして、起動部４２側（図３の左側）の折目２３Ｄを谷折りにすることで、図４に示すように第２短辺２２ａを折目２３Ｃ側に移動させる。この折り曲げ加工によって、第２端部２２は紙本体２の表面２ａが露出することになる。
【００２８】
また、図４の右側に示すように、略長方形に形成されるはがき部３の外周縁は、軸側縁部としての第１縁部３１と、第１縁部３１と対向する位置に設けられる開放側縁部としての第２縁部３２と、第１縁部３１と第２縁部３２の端部間を繋ぐ開放側縁部としての第３縁部３３，３３とによって形成される。
【００２９】
ここで、第１縁部３１は、複数のアンカット部３１ａ，・・・が残るように切断される。すなわち、第１縁部３１には、複数（図４では５箇所）のアンカット部３１ａ，・・・による窓枠状部４１とはがき部３との接続が残っている。例えば１つのアンカット部３１ａの長さは、０．８ｍｍ〜１．０ｍｍに設定する。
【００３０】
これに対して、第２縁部３２及びそれ以外の第３縁部３３，３３は、第１縁部３１の接続強度よりも弱くなる切断加工にする。例えば、第２縁部３２及び第３縁部３３，３３の全長を連続して切断することができる。
【００３１】
そして、紙本体２の裏面２ｂとなるはがき部３の一面には、第２縁部３２に沿って接着部５２を設ける。また、折目２３Ｂで折り曲げた際に、第２縁部３２の上に重ねられる第２端部２２の一面（紙本体２の表面２ａ）にも、第２短辺２２ａに沿って接着部５１を設ける。
【００３２】
接着部５１，５２は、接着剤の強度によっては、いずれか一方であってもよい。この接着部５１，５２は、剥離糊などの接着剤を紙本体２に塗布することによって形成される。なお、接着剤は、剥離糊よりも接着強度の高いものを使用することもできる。
【００３３】
次に、本実施の形態のはがき付き印刷物１の製作方法及び使用方法について説明する。
【００３４】
まず、ロール紙から紙本体２を引き出し、両面印刷機によって紙本体２の両面に印刷を行う。すなわち、図２に示した紙本体２の表面２ａには、はがき部３の宛名面、窓枠状部４１の一面及び残置領域４の一面の印刷を行う。
【００３５】
一方、紙本体２の裏面２ｂ（図３，５参照）には、はがき部３の通信面、窓枠状部４１の他面及び残置領域４の他面の印刷を行う。要するに紙本体２に必要な印刷は、この工程ですべて行う。
【００３６】
印刷後には、紙本体２を折目２３Ａ，２３Ｃで谷折りに折り曲げて、はがき部３及び窓枠状部４１と下地部４３とを対峙させるとともに、起動部４２どうしを対峙させる。
【００３７】
そして、図４に示すように、起動部４２の第２端部２２に第２短辺２２ａに沿って接着剤を塗布することで接着部５１を形成するとともに、はがき部３の第２縁部３２に沿って接着剤を塗布することで接着部５２を形成する。
【００３８】
また、下地部４３の上に第１端部２１が折り重ねられた状態のまま、はがき部３と窓枠状部４１が形成された上層のみを切り取る工程に移行する。この工程では、第１縁部３１については、アンカット部３１ａ，３１ａ間にのみ、それぞれダイカッタで切り込みを入れる。要するにアンカット部３１ａ，・・・は、切り込まれずに残った部分である。
【００３９】
一方、第２縁部３２及び第３縁部３３，３３については、全長にわたってダイカッタで切り込みを入れる。そして、折目２３Ｂで谷折りに折り曲げることで、図５に示した状態にする。
【００４０】
図５に示したはがき付き印刷物１の状態では、第２端部２２の接着部５１とはがき部３の接着部５２とが接着された状態になっている。また、最上層に配置された下地部４３の折目２３Ａの下端付近には、その位置から捲れることを示す目印１１が印刷されている。
【００４１】
このようにして製作されたシート状のはがき付き印刷物１は、新聞の折込み広告となって利用者に配布される。下地部４３の一面（２ｂ）や起動部４２の一面（２ｂ）など表に露出した部分に印刷された情報などに関心を持った人は、さらに情報を収集するために、下地部４３から起動部４２を引き剥がして図１に示すようにはがき付き印刷物１を開く。
【００４２】
すると利用者は、はがき部３がはがき付き印刷物１の中から立ち上がって飛び出してくるような感覚を受ける。図６は、このはがき部３が起立した状態を示した平面図であり、図７は図６と同じ状態を側方から見た側面図である。
【００４３】
すなわち、起動部４２を窓枠状部４１から離れる方向（図１の矢印方向参照）に移動させると、はがき部３の第２縁部３２及び第３縁部３３，３３は窓枠状部４１から切り離されているため、はがき部３が窓枠状部４１から浮き上がる。
【００４４】
そのまま起動部４２を移動させ続けると、第２端部２２に第２縁部３２が接着されたはがき部３は、第１縁部３１を軸として回転するように起き上がることになる。
【００４５】
このように起動部４２を開くとそれに連動してはがき部３が立ち上がるようにすると、開口部３４から抜け出したはがき部３を利用者に立体的に見せて印象付けることができる。
【００４６】
そして、はがき部３に関心を持った利用者は、第１縁部３１のアンカット部３１ａ，・・・を切ることで、窓枠状部４１からはがき部３の第１縁部３１を切り離す。さらに、第２縁部３２に沿った接着部５１，５２どうしの接着を剥がすことで、はがき部３を残置領域４から簡単に分離させることができる。
【００４７】
次に、本実施の形態のはがき付き印刷物１の作用について説明する。
【００４８】
このように構成された本実施の形態のはがき付き印刷物１は、はがき部３が窓枠状部４１から起立した後に取り外せるように、はがき部３の第１縁部３１とその周囲の窓枠状部４１とがアンカット部３１ａ，・・・で接続されている。
【００４９】
要するに、アンカット部３１ａ，・・・による接続が残されているので、配布時などの意図しない時機に外れてしまうこともなく、利用者の好きなときに容易にはがき部３を取り外すことができる。
【００５０】
そして、第１縁部３１以外の第２縁部３２及び第３縁部３３，３３とその周囲の窓枠状部４１との間は全長にわたって切断されている。また、第１縁部３１とそれに対向する位置の第２縁部３２に隣接するはがき部３の一面（２ｂ）が、その上に重ね合わされる起動部４２の第２端部２２の一面（２ａ）に接着される（図４，５参照）。
【００５１】
このため、はがき部３を接着させた起動部４２を開くと、それに連動してはがき部３が立ち上がることになるので、取り外せるはがき部３を利用者に立体的に見せて印象付けることができる。
【００５２】
また、上述したはがき付き印刷物１の製作方法であれば、従来に比べて少ない工程で簡単に立体的な印刷物を作製することができるようになる。さらに、図２の左右の構成を反転させることで、はがき部が立ち上がる方向を逆にした立体的な印刷物を作製することも容易にできる。
【００５３】
以上、図面を参照して、本考案の実施の形態を詳述してきたが、具体的な構成は、この実施の形態に限らず、本考案の要旨を逸脱しない程度の設計的変更は、本考案に含まれる。
【００５４】
例えば、前記実施の形態では、紙本体２をシート本体として説明したが、これに限定されるものではなく、合成樹脂などのシート、膜、薄板など、厚みが薄い面状材であればシート本体にすることができる。
【００５５】
また、前記実施の形態では、分離領域をはがき部３として説明したが、これに限定されるものではない。例えば、クーポン券や招待券などを分離領域に設けておくことで、立体的に飛び出してきたクーポン券等に興味を示した利用者が、切り離して利用するという行動に結び付けることができる。
【００５６】
さらに、前記実施の形態では第一種郵便はがきを想定した長方形のはがき部３について説明したが、これに限定されるものではない。分離領域の形状は正方形や他の多角形状であってもよい。また、分離領域をクーポン券などとして利用する場合は、半円形状やドーム形状などにすることもできる。
【００５７】
さらに、前記実施の形態では、新聞の折込み広告としてはがき付き印刷物１を使用する場合について説明したが、これに限定されるものではない。例えば住戸の郵便受けに投函される広告、街頭や店頭で配布される広告、又は雑誌や本の綴込みなどに本発明のシート状印刷物を使用することができる。
【００５８】
また、前記実施の形態では、第２縁部３２及び第３縁部３３，３３を全長にわたって切断したが、これに限定されるものではない。例えば、第１縁部３１よりも少ない数（量）のアンカット部で窓枠状部４１との接続を残しておくこともできる。この場合は、アンカット部以外の部分が切断部となる。
【００５９】
さらに、このような構成にした場合は、第２縁部３２及び第３縁部３３，３３と窓枠状部４１との接続によって、起動部４２を動かした際に接着部５１，５２どうしの接着が剥がれないように調整する必要がある。この調整は、接着部５１，５２の接着強度を高める調整であっても、第２縁部３２及び第３縁部３３，３３と窓枠状部４１との接続強度を弱める調整であってもいずれでもよい。
【００６０】
また、前記実施の形態では、長方形の紙本体２を４つの折目２３Ａ−２３Ｄで折り曲げて製作されるはがき付き印刷物１について説明したが、これに限定されるものではない。例えば、下地部４３や第２端部２２の折り返しを省略した構成にしても、シート状印刷物を開いたときに分離領域を起立させることができる。
【符号の説明】
【００６１】
１              はがき付き印刷物（シート状印刷物）
２              紙本体（シート本体）
２１            第１端部
２１ａ          第１短辺
２２            第２端部
２２ａ          第２短辺
２３Ａ−２３Ｄ  折目
３              はがき部（分離領域、窓状部）
３１            第１縁部（軸側縁部）
３１ａ          アンカット部
３２            第２縁部（開放側縁部）
３３            第３縁部（開放側縁部）
４              残置領域
４１            窓枠状部（窓枠領域）
４２            起動部（起動領域）
５１，５２      接着部
【図１】
0003190954.tif 000003
【図２】
0003190954.tif 000004
【図３】
0003190954.tif 000005
【図４】
0003190954.tif 000006
【図５】
0003190954.tif 000007
【図６】
0003190954.tif 000008
【図７】
0003190954.tif 000009